(57)【要約】      （修正有）【課題】店頭への搬送及び組立が容易な組立式ディスプレイ装置を提供する。【解決手段】幅方向に折りたたみ可能に形成されると共に、上部に開口部１１を有する箱状脚部１２と、幅方向に折りたたみ可能に形成されると共に、箱状脚部１２内に挿入され、上部に開口部１１の周縁部１３に当接する載置板１４を有する箱状挿入部１５とを備える。【選択図】図１
0003189363.tif 000002
【実用新案登録請求の範囲】
【請求項１】
幅方向に折りたたみ可能に形成されると共に、上部に開口部を有する箱状脚部と、幅方向に折りたたみ可能に形成されると共に、上記箱状脚部内に挿入され、上部に上記開口部の周縁部に当接する載置板を有する箱状挿入部とを備えたことを特徴とする組立式ディスプレイ。
【請求項２】
上記載置板は、端縁部において上記箱状脚部の開口部に回動可能に接合されていると共に、箱状挿入部は折り畳み可能に形成されていることを特徴とする請求項１記載の組立式ディスプレイ。  
【請求項３】
上記載置板には、上記箱状挿入部が箱状脚部内に挿入された場合には上記箱状脚部の背面部と連接される背面板部が、折り畳み可能に固定されていることを特徴とする請求項２記載の組立式ディスプレイ。
【請求項４】
上記箱状脚部及び箱状挿入部は段ボールにより形成されていることを特徴とする請求項１記載の組立式ディスプレイ。
【考案の詳細な説明】
【技術分野】
【０００１】
本考案は、ディスプレイ装置の改良に関するものである。
【背景技術】
【０００２】
従来より、店頭に置き様々な商品をプレゼン又はディスプレイできるディスプレイ装置が使用されている（特許文献１参照）。
このようなディスプレイ装置は、プレゼンテーション又はディスプレイのためには所定の大きさが必要であると共に、店頭への搬送及び設置には組立が必要であり、搬送及び組立が煩雑である、という不具合が存していた。
【特許文献１】実開平６−１３６２６号公報
【考案の開示】
【考案が解決しようとする課題】
【０００３】
本考案の課題は、店頭への搬送及び組立が容易な組立式ディスプレイ装置を提供することにある。
【課題を解決するための手段】
【０００４】
請求項１に記載の考案にあっては、幅方向に折りたたみ可能に形成されると共に、上部に開口部を有する箱状脚部と、幅方向に折りたたみ可能に形成されると共に、上記箱状脚部内に挿入され、上部に上記開口部の周縁部に当接する載置板を有する箱状挿入部とを備えたことを特徴とする。
従って、請求項１記載の考案にあっては、箱状脚部の開口部から内部に箱状挿入部を挿入することにより、ディスプレイ装置を形成することができる。
【０００５】
請求項２記載の考案にあっては、上記載置板は、端縁部において上記箱状脚部の開口部に回動可能に接合されている共に、箱状挿入部は折り畳み可能に形成されていることを特徴とする。従って、請求項２記載の考案にあっては、箱状挿入部は箱状脚部に接合された状態のままで折畳むことができる。
【０００６】
請求項３記載の考案にあっては、上記載置板には、上記箱状挿入部が箱状脚部内に挿入された場合には上記箱状脚部の背面部と連接される背面板部が、折り畳み可能に固定されていることを特徴とする。
【考案の効果】
【０００７】
請求項１記載の考案にあっては、幅方向に折りたたみ可能に形成されると共に、上部に開口部を有する箱状脚部と、幅方向に折りたたみ可能に形成されると共に、上記箱状脚部内に挿入され、上部に上記開口部の周縁部に当接する載置板を有する箱状挿入部とを備え、箱状脚部の開口部から内部に箱状挿入部を挿入することにより、ディスプレイ装置を形成することができるように構成されており、搬送時には、箱状脚部を幅方向に折り畳んで載置板と共に搬送することができると共に、ディスプレイ設置時には、箱状脚部を幅方向に操作することにより容易に箱状脚部を形成することができ、箱状脚部の開口部内に箱状挿入部を挿入させて載置板を開口部の周縁部に当接させることによりディスプレイ装置を迅速に形成することができる。
【０００８】
また、請求項１記載の考案にあっては、組立時には、箱状脚部内に開口部を介して箱状挿入部を挿入させるように構成されていることから、箱状挿入部により箱状脚部の強度を保持することができる。その結果、載置板上に所定の荷重の商品を配置したような場合であっても、充分に荷重に耐えることができる組立式ディスプレイ装置を提供することができる。
【０００９】
さらに、請求項１記載の考案にあっては、箱状挿入部は、箱状脚部の開口部の周縁部に当接する載置板を供えていることから、箱状脚部の高さ方向においては剛性が高く、載置板に大きな荷重がかかっても支持することができるため、載置板上に所定の荷重の商品を載置した場合であっても全体の荷重を支持することができる。
【００１０】
請求項２記載の考案にあっては、上記載置板は、端縁部において上記箱状脚部の開口部に回動可能に接合されている共に、箱状挿入部は折り畳み可能に形成され、箱状挿入部は箱状脚部に接合された状態のままで折畳むことができることから、折り畳み時には、上記箱状脚部を幅方向に折畳むと共に箱状挿入部も箱状脚部に接合した状態のまま折り畳み、載置板を重ね合わせることにより搬送することができる。
【００１１】
また、組立時には、箱状脚部を幅方向に操作して組立てると共に、箱状脚部を回動させて開口部から箱状挿入部を挿入することにより、より容易かつ迅速にディスプレイ装置を形成することができる。
【００１２】
請求項３記載の考案にあっては、上記載置板には、上記箱状挿入部が箱状脚部内に挿入された場合には上記箱状脚部の背面部と連接される背面板部が、折り畳み可能に固定されていることを特徴とする。
【００１３】
従って、請求項３記載の考案にあっては、請求項２記載の考案の効果に加えて、組立時には載置板の後端部において立設される背面板部が形成されることから、背面板部に様々な宣伝媒体等を貼付したり、固定したりすることができるため、よりディスプレイ効果を向上させることができる。また、折り畳み時においても、背面板部も箱状挿入部及び箱状脚部と共に折りたたむことができるため、搬送作業の邪魔になることはない。
また、請求項４記載の考案にあっては、箱状脚部及び箱状挿入部が段ボールにより形成されていることから、軽量で低コストなディスプレイ装置を提供することができる。
【図面の簡単な説明】
【００１４】
【図１】本考案に係る組立式ディスプレイ装置の第一の実施の形態を示し、本実施形態に係る組立式ディスプレイ装置を構成する箱状挿入部を箱状脚部に挿入する状態を示す分解斜視図である。
【図２】本考案に係る組立式ディスプレイ装置の第一の実施の形態を示し、箱状挿入部を箱状脚部に挿入しつつある状態を示す折り畳む斜視図である。
【図３】本考案に係る組立式ディスプレイ装置の第一の実施の形態を示す斜視図である。
【図４】本考案に係る組立式ディスプレイ装置の第一の実施の形態を示し、組立てられた状態を示す斜視図である。
【図５】本考案に係る組立式ディスプレイ装置の第二の実施の形態を示し、組立てられた状態を示す斜視図である。
【図６】本考案に係る組立式ディスプレイ装置の第二の実施の形態を示し、折り畳む過程の状態を示す斜視図である。
【図７】本考案に係る組立式ディスプレイ装置の第二の実施の形態を示し、折り畳む過程の状態を示す斜視図である。
【図８】本考案に係る組立式ディスプレイ装置の第二の実施の形態を示し、折り畳む過程の状態を示す斜視図である。
【図９】本考案に係る組立式ディスプレイ装置の第二の実施の形態を示し、折り畳む過程の状態を示す斜視図である。
【図１０】本考案に係る組立式ディスプレイ装置の第二の実施の形態を示し、折り畳んだ状態を示す斜視図である。
【図１１】本考案に係る組立式ディスプレイ装置の第三の実施の形態を示し、本実施形態に係る組立式ディスプレイ装置を示し、本実施形態に係る組立式ディスプレイ装置を構成する箱状挿入部を箱状脚部に挿入する状態を示す分解斜視図である。
【図１２】本考案に係る組立式ディスプレイ装置の第三の実施の形態を示す斜視図である。
【考案を実施するための最良の形態】
【００１５】
以下、本考案に係る組立式ディスプレイ装置を実施の形態に基づき、図面を参照して詳細に説明する。
図１に示すように、本実施の形態に係る組立式ディスプレイ装置１０は、幅方向に折りたたみ可能に形成されると共に上部に開口部１１を有する箱状脚部１２と、幅方向に折りたたみ可能に形成されると共に、上記箱状脚部１２内に挿入されると共に、上部に上記開口部１１の周縁部１３に当接する載置板１４を有する箱状挿入部１５とを備えている。
【００１６】
本実施の形態にあっては、上記箱状脚部１２は段ボールを素材として、所定の高さ寸法を有する薄幅の直方体箱状に形成されており、箱状脚部１２の開口部１１を介して、箱状脚部１２内部に上方から挿入しうる幅寸法及び長さ寸法に形成されている。本実施の形態にあっては、箱状挿入部１５の高さ寸法は、箱状脚部１２の高さ寸法の約１／３程度の長さ寸法に形成されている。
【００１７】
箱状挿入部１５は、全体直方体形状に形成され、長さ方向両端部１６、１６には側面部は設けられず開放されている。従って、前面部１７、底面部１８、背面部１９及び前面部１７及び背面部１９の上端部に折曲可能に固定された載置板１４により構成され、前面部１７、底面部１８、背面部１９は段ボールにより形成され、載置板１４はより硬質な紙製素材により形成されている。
【００１８】
箱状挿入部１５の幅寸法及び長さ寸法は、箱状脚部１２の開口部１１の幅寸法及び長さ寸法と同一に形成されており、箱状挿入部１５は開口部１１を介して箱状脚部１２内へ挿入できるように構成されている。
そして、前面部１７及び背面部１９は載置板１４に対して、接合部において折曲可能に接合されていると共に、底面部１８は前面部１７及び背面部１９に対して接合部において折曲可能に接合されている。その結果、箱状挿入部１５は、前面部１７、底面部１８及び背面部１９を載置板１４に対して幅方向に沿って押しつぶした形で折畳むことができる。
【００１９】
従って、本実施の形態に係る組立式ディスプレイ装置１０にあっては、搬送時には、箱状脚部１２は、幅方向において押しつぶして平板状にして折り畳むことができると共に、箱状挿入部１５は、上記のように前面部１７、底面部１８及び背面部１９は幅方向に押しつぶした状態で折り畳み、載置板１４と共に平板状にして搬送することができる。その結果、搬送時に必要なスペースを低減することができ、容易に、かつ搬送コストを低減して搬送することができる。
【００２０】
また、ディスプレイ装置を使用する店頭に搬送された場合には、箱状脚部１２を操作して元の状態に復帰させて直方体形状の箱状脚部１２として形成すると共に、箱状挿入部１５を操作して元の状態に復帰させて直方体形状の箱状挿入部１５とし、箱状挿入部１５の開口部１１から箱状脚部１２内へ、載置板１４が箱状脚部１２の周縁部１３に当接するまで挿入する。
【００２１】
これにより、載置板１４上に様々な商品を載せてプレゼンテーション又はディスプレイを行うことができる。なお、箱状脚部１２は段ボール製であるが、段ボールは面に沿った方向の剛性は高いことから、載置板１４に所定の荷重の商品が所定数載置された場合で所定の荷重が箱状脚部１２に対して下方に向かって作用した場合であっても、充分荷重を支持することができる。
また、本実施の形態に係る組立式ディスプレイ装置１０にあっては、図３に示すように、載置板１４の幅方向後端部に表示部２１を取り付けることができるように構成されている。
【００２２】
即ち、表示部２１は、表示板２２と、表示板２２の両端部に固定された支持部２３、２３とからなり、載置板１４の幅方向後端部の長さ方向両側には穴部２０、２０が開設されていることから、この穴部２０、２０に支持部２３、２３の先端部を挿入固定することにより、載置板１４上に表示部２１を設置することができる。
【００２３】
従って、本実施の形態にあっては、表示部２１を載置板１４上に設置することができるため、表示板２２上に適宜、プレゼンテーション又はディスプレイを行う商品の広告媒体を貼付することができるため、より効果的なプレゼンテーション又はディスプレイを行うことができる。
【００２４】
図５〜図１０は、本考案の第二実施の形態を示す。前期実施の形態と同一の構成部材に関しては説明を省略する。
本実施の形態に係る組立式ディスプレイ装置３０は、上記載置板３１は、端縁部において上記箱状脚部３５の開口部３２の周縁部３３に回動可能に接合されていると共に、箱状挿入部３４は折り畳み可能に形成されている。
【００２５】
また、載置板３１には、上記箱状挿入部３４が箱状脚部３５内に挿入された場合には上記箱状脚部３５の背面部３６と連接される背面板部３７が折り畳み可能に固定されている。
本実施の形態にあっては、縦長直方体箱状に形成された箱状脚部３５の上端部に形成された開口部３２の背面部３６側の周縁部３３には載置板３１が回動可能に接合されている。また、載置板３１には、上記箱状挿入部３４が箱状脚部３５内に挿入された場合には上記箱状脚部３５の背面部３６と連接される背面板部３７が折り畳み可能な状態で、載置板３１に対して略直交するように固定されている。
【００２６】
その結果、組立時又は収納時には、載置板３１、及び載置板３１に固定された背面板部３７は、開口部３２の背面部３６側の周縁部３３を回動中心に回動させて組立又は収納することができる。
【００２７】
図５に示すように、本実施の形態に係る組立式ディスプレイ装置３０を組み立てた場合には、載置板３１上には大型の背面板部３７が配設されることから、背面板部３７に様々な広告表示を施すことができ、プレゼンテーションを行うことができると共に、ディスプレイ効果をより拡大することができる。
【００２８】
また、本実施の形態に係る組立式ディスプレイ装置３０を折畳む場合には、図６〜図７に示すように、背面板部３７を後方に倒す。この場合、背面板部３７は載置板３１に固定されていることから、載置板３１の裏面側に設けられた箱状挿入部３４は箱状脚部３５内から離脱する。なお、図中符合３８は補強板である。
【００２９】
その後、図８〜図１０に示すように、背面板部３７及び載置板３１及び箱状挿入部３４は箱状脚部３５上で反転し、箱状挿入部は、前面板部１７、底面板部１８及び背面部１９は折り畳まれ、載置板１４及び背面板部３７に重なる状態となり、箱状脚部３５も幅方向に折り畳むことにより、全体を扁平な板状にセットすることができ、この状態で搬送することが可能となる。
【００３０】
さらに、図１１及び図１２は、本考案に係る組立式ディスプレイ装置の第三の実施の形態を示す。本実施の形態に係る組立式ディスプレイ装置４０にあっては、箱状挿入部４１の背面部４２に開口部４３が開設されていると共に、箱状脚部４４の背面部４５の挿入時に対応する位置に、上下方向に開閉可能なフラップ部４６を有する孔部４７が開設されている。
【００３１】
従って、本実施の形態に係る組立式ディスプレイ装置４０にあっては、箱状挿入部４１が箱状脚部４４に挿入された場合で、背面部のフラップ部４６を開放した場合には、適宜の物品を、箱状脚部４４及び箱状挿入部４１により形成される空隙４８内に収納することができるように構成されている。その結果、箱状脚部４４内を収納部として利用することができる組立式ディスプレイ装置４０を提供することができる。
【産業上の利用可能性】
【００３２】
本考案に係るディスプレイ装置は、広く店頭に置き様々な商品をプレゼン又はディスプレイできるディスプレイ装置に適用することができるため、産業上の利用可能性を有している。
【符号の説明】
【００３３】
１０    組立式ディスプレイ装置
１１    開口部
１２    箱状脚部
１３    周縁部
１４    載置板
１５    箱状挿入部
１６    長さ方向両端部
１７    前面部
１８    底面部
１９    背面部
２０    穴部
２１    表示部
２２    表示板
２３    支持部
３０    組立式ディスプレイ装置
３１    載置板
３２    開孔部
３３    周縁部
３４  箱状挿入部
３５  箱状脚部
３６  背面部
３７  背面板部
４０  組立式ディスプレイ装置
４１  箱状挿入部
４２  背面部
４３  開口部
４４  箱状脚部
４５  背面部
４６  フラップ部
４７  孔部
４８  空隙
【図１】
0003189363.tif 000003
【図２】
0003189363.tif 000004
【図３】
0003189363.tif 000005
【図４】
0003189363.tif 000006
【図５】
0003189363.tif 000007
【図６】
0003189363.tif 000008
【図７】
0003189363.tif 000009
【図８】
0003189363.tif 000010
【図９】
0003189363.tif 000011
【図１０】
0003189363.tif 000012
【図１１】
0003189363.tif 000013
【図１２】
0003189363.tif 000014
【手続補正書】
【提出日】平成26年1月6日(2014.1.6)
【手続補正１】
【補正対象書類名】実用新案登録請求の範囲
【補正対象項目名】全文
【補正方法】変更
【補正の内容】
【実用新案登録請求の範囲】
【請求項１】
全体段ボールにより形成され、方形の第一の前面板と、上記第一の前面板の両側部において幅方向に折り畳み可能に接合された一対の側面板と、上記第一の前面板に対向して配置され、一対の側面板に端部において折り畳み可能に接合された第一の背面板とを有し、上部に開口部を有する箱状脚部と、
上記開口部を介して箱状脚部内に挿入可能に形成され、上記第一の前面板よりも僅かに小さく形成された第二の前面板と、上記第二の前面板と対向して配置され、上記第一の背面板よりも僅かに小さく形成された第二の背面板と、上記第二の前面板と上記第二の背面板との間に接合部において折り畳み可能に設けられた底面板と、上記第一の前面板、上記一対の側面板及び上記第一の背面板の上端部に当接する載置板とを有する箱状挿入部とを備えたことを特徴とする組立式ディスプレイ装置。
【請求項２】
上記載置板は、端縁部において上記箱状脚部の開口部に回動可能に接合されていると共に、上記第二の前面板部は上記載置板及び上記底面板部に端部において折り畳み可能に接合されると共に上記第二の背面板部は上記載置板及び上記底面板部に端部において折り畳み可能に接合されていることを特徴とする請求項１記載の組立式ディスプレイ装置。  
【請求項３】
上記載置板には、下端部において載置板の端部に回動可能に接合され、上記箱状挿入部が箱状脚部内に挿入された場合には上記箱状脚部の背面部と連続して上記載置板上に立設される背面板を有することを特徴とする請求項２記載の組立式ディスプレイ装置。
【請求項４】
上記箱状脚部及び箱状挿入部は段ボールにより形成されていることを特徴とする請求項１記載の組立式ディスプレイ装置。
【手続補正２】
【補正対象書類名】明細書
【補正対象項目名】全文
【補正方法】変更
【補正の内容】
【考案の詳細な説明】
【技術分野】
【０００１】
本考案は、ディスプレイ装置の改良に関するものである。
【背景技術】
【０００２】
従来より、店頭に置き様々な商品をプレゼン又はディスプレイできるディスプレイ装置が使用されている（特許文献１参照）。
このようなディスプレイ装置は、プレゼンテーション又はディスプレイのためには所定の大きさが必要であると共に、店頭への搬送及び設置には組立が必要であり、搬送及び組立が煩雑である、という不具合が存していた。
【特許文献１】実開平６−１３６２６号公報
【考案の開示】
【考案が解決しようとする課題】
【０００３】
本考案の課題は、店頭への搬送及び組立が容易な組立式ディスプレイ装置を提供することにある。
【課題を解決するための手段】
【０００４】
請求項１に記載の考案にあっては、全体段ボールにより形成され、方形の第一の前面板と、上記前面板の両側部において幅方向に折り畳み可能に接合された一対の側面板と、上記第一の前面板に対向して配置され、一対の側面板に折り畳み可能に接合された第一の背面板とを有し、上部に開口部を有する箱状脚部と、上記開口部を介して箱状脚部内に挿入可能に形成され、上記第一の前面板よりも僅かに小さく形成された第二の前面板と、上記第二の前面板と対向して配置され、上記第一の背面板よりも僅かに小さく形成された第二の背面板と、上記第二の前面板と上記第二の背面板との間に折り畳み可能に設けられた底面板と、上記第一の前面板、上記一対の側面板及び上記第一の背面板の上端部に当接する載置板とを有する箱状挿入部とを備えたことを特徴とする。
【０００５】
請求項２記載の考案にあっては、上記載置板は、端縁部において上記箱状脚部の開口部に回動可能に接合されていると共に、上記第二の前面板は上記載置板及び上記底面板に折り畳み可能に接合されると共に上記第二の背面板は上記載置板及び上記底面板に折り畳み可能に接合されていることを特徴とする。  
【０００６】
請求項３記載の考案にあっては、上記載置板には、下端部において載置板の端部に回動可能に接合され、上記箱状挿入部が箱状脚部内に挿入された場合には上記箱状脚部の背面部と連続して上記載置板上に立設される背面板を有することを特徴とする。
請求項４記載の考案にあっては、上記箱状脚部及び箱状挿入部は段ボールにより形成されていることを特徴とする。
【考案の効果】
【０００７】
請求項１記載の考案にあっては、全体段ボールにより形成され、方形の第一の前面板と、上記前面板の両側部において幅方向に折り畳み可能に接合された一対の側面板と、上記第一の前面板に対向して配置され、一対の側面板に端部において折り畳み可能に接合された第一の背面板とを有し、上部に開口部を有する箱状脚部と、上記開口部を介して箱状脚部内に挿入可能に形成され、上記第一の前面板よりも僅かに小さく形成された第二の前面板と、上記第二の前面板と対向して配置され、上記第一の背面板よりも僅かに小さく形成された第二の背面板と、上記第二の前面板と上記第二の背面板との間に接合部位において折り畳み可能に設けられた底面板と、上記第一の前面板、上記一対の側面板及び上記第一の背面板の上端部に当接する載置板とを有する箱状挿入部とを備えていることから、箱状脚部の開口部内に箱状挿入部を挿入させて載置板を開口部の周縁部に当接させることによりディスプレイ装置を迅速に形成することができる。
【０００８】
また、請求項１記載の考案にあっては、組立時には、箱状脚部内に開口部を介して箱状挿入部を挿入させるように構成されていることから、箱状挿入部により箱状脚部の強度を保持することができる。その結果、載置板上に所定の荷重の商品を配置したような場合であっても、充分に荷重に耐えることができる組立式ディスプレイ装置を提供することができる。
【０００９】
さらに、請求項１記載の考案にあっては、箱状挿入部は、箱状脚部の開口部の周縁部に当接する載置板を備えていることから、箱状脚部の高さ方向においては剛性が高く、載置板に大きな荷重がかかっても支持することができるため、載置板上に所定の荷重の商品を載置した場合であっても全体の荷重を支持することができる。
【００１０】
請求項２記載の考案にあっては、上記載置板は、端縁部において上記箱状脚部の開口部に回動可能に接合されていると共に、上記第二の前面板は上記載置板及び上記底面板に端部において折り畳み可能に接合されると共に上記第二の背面板は上記載置板及び上記底面板に端部において折り畳み可能に接合されていることから、折り畳み時には、上記箱状脚部を幅方向に折畳むと共に箱状挿入部も箱状脚部に接合した状態のまま折り畳み、載置板を重ね合わせることにより搬送することができる。
【００１１】
また、組立時には、箱状脚部を幅方向に操作して組立てると共に、箱状脚部を回動させて開口部から箱状挿入部を挿入することにより、より容易かつ迅速にディスプレイ装置を形成することができる。
【００１２】
請求項３記載の考案にあっては、上記載置板には、下端部において載置板の端部に回動可能に接合され、上記箱状挿入部が箱状脚部内に挿入された場合には上記箱状脚部の背面部と連続して上記載置板上に立設される背面板を有しており、組立時には載置板の後端部において立設される背面板部が形成されることから、背面板部に様々な宣伝媒体等を貼付したり、固定したりすることができるため、よりディスプレイ効果を向上させることができる。また、折り畳み時においても、背面板部も箱状挿入部及び箱状脚部と共に折りたたむことができるため、搬送作業の邪魔になることはない。
【００１３】
また、請求項４記載の考案にあっては、箱状脚部及び箱状挿入部が段ボールにより形成されていることから、軽量で低コストなディスプレイ装置を提供することができる。
【図面の簡単な説明】
【００１４】
【図１】本考案に係る組立式ディスプレイ装置の第一の実施の形態を示し、本実施形態に係る組立式ディスプレイ装置を構成する箱状挿入部を箱状脚部に挿入する状態を示す分解斜視図である。
【図２】本考案に係る組立式ディスプレイ装置の第一の実施の形態を示し、箱状挿入部を箱状脚部に挿入しつつある状態を示す折り畳む斜視図である。
【図３】本考案に係る組立式ディスプレイ装置の第一の実施の形態を示す斜視図である。
【図４】本考案に係る組立式ディスプレイ装置の第一の実施の形態を示し、組立てられた状態を示す斜視図である。
【図５】本考案に係る組立式ディスプレイ装置の第二の実施の形態を示し、組立てられた状態を示す斜視図である。
【図６】本考案に係る組立式ディスプレイ装置の第二の実施の形態を示し、折り畳む過程の状態を示す斜視図である。
【図７】本考案に係る組立式ディスプレイ装置の第二の実施の形態を示し、折り畳む過程の状態を示す斜視図である。
【図８】本考案に係る組立式ディスプレイ装置の第二の実施の形態を示し、折り畳む過程の状態を示す斜視図である。
【図９】本考案に係る組立式ディスプレイ装置の第二の実施の形態を示し、折り畳む過程の状態を示す斜視図である。
【図１０】本考案に係る組立式ディスプレイ装置の第二の実施の形態を示し、折り畳んだ状態を示す斜視図である。
【図１１】本考案に係る組立式ディスプレイ装置の第三の実施の形態を示し、本実施形態に係る組立式ディスプレイ装置を示し、本実施形態に係る組立式ディスプレイ装置を構成する箱状挿入部を箱状脚部に挿入する状態を示す分解斜視図である。
【図１２】本考案に係る組立式ディスプレイ装置の第三の実施の形態を示す斜視図である。
【考案を実施するための最良の形態】
【００１５】
以下、本考案に係る組立式ディスプレイ装置を実施の形態に基づき、図面を参照して詳細に説明する。
図１に示すように、本実施の形態に係る組立式ディスプレイ装置１０は、全体段ボールにより形成され、方形の第一の前面板５０と、上記第一の前面板５０の両側部において幅方向に折り畳み可能に接合された一対の側面板５１、５２と、上記第一の前面板５０に対向して配置され、一対の側面板５１、５２に折り畳み可能に接合された第一の背面板５３とを有し、上部に開口部１１を有する箱状脚部１２と、上記開口部１１を介して箱状脚部１２内に挿入可能に形成され、上記第一の前面板５０よりも僅かに小さく形成された第二の前面板１７と、上記第二の前面板１７と対向して配置され、上記第一の背面板５０よりも僅かに小さく形成された第二の背面板１９と、上記第二の前面板１７と上記第二の背面板１９との間に接合部において折り畳み可能に設けられた底面板１８と、上記第一の前面板５０、上記一対の側面板５１、５２及び上記第一の背面板５３の上端部に当接する載置板１４とを有する箱状挿入部１５とを備えている。
【００１６】
本実施の形態にあっては、上記箱状挿入部１５は、所定の高さ寸法を有する薄幅の直方体箱状に形成されており、箱状脚部１２の開口部１１を介して、箱状脚部１２内部に上方から挿入しうる幅寸法及び長さ寸法に形成されている。本実施の形態にあっては、箱状挿入部１５の高さ寸法は、箱状脚部１２の高さ寸法の約１／３程度の長さ寸法に形成されている。
【００１７】
箱状挿入部１５は、長さ方向両端部１６、１６には側面部は設けられず開放されている。従って、第二の前面板１７、底面板１８、第二の背面板１９及び第二の前面板１７及び第二の背面板１９の上端部において折曲可能に固定された載置板１４により構成され、第二の前面板１７、底面板１８、第二の背面板１９は段ボールにより形成され、載置板１４はより硬質な紙製素材により形成されている。
【００１８】
箱状挿入部１５の幅寸法及び長さ寸法は、箱状脚部１２の開口部１１の幅寸法及び長さ寸法と同一に形成されており、箱状挿入部１５は開口部１１を介して箱状脚部１２内へ挿入できるように構成されている。そして、第二の前面板１７及び第二の背面部１９は載置板１４に対して、接合部において折曲可能に接合されていると共に、底面部１８は前面部１７及び背面部１９に対して接合部において折曲可能に接合されている。その結果、箱状挿入部１５は、第二の前面部１７、底面部１８及び第二の背面部１９を載置板１４に対して幅方向に沿って押しつぶした形で折畳むことができる。
【００１９】
従って、本実施の形態に係る組立式ディスプレイ装置１０にあっては、搬送時には、箱状脚部１２は、幅方向において押しつぶして平板状にして折り畳むことができると共に、箱状挿入部１５は、上記のように第二の前面部１７、底面部１８及び第二の背面部１９は幅方向に押しつぶした状態で折り畳み、載置板１４と共に平板状にして搬送することができる。その結果、搬送時に必要なスペースを低減することができ、容易に、かつ搬送コストを低減して搬送することができる。
【００２０】
また、ディスプレイ装置を使用する店頭に搬送された場合には、箱状脚部１２を操作して元の状態に復帰させて直方体形状の箱状脚部１２として形成すると共に、箱状挿入部１５を操作して元の状態に復帰させて直方体形状の箱状挿入部１５とし、箱状挿入部１５の開口部１１から箱状脚部１２内へ、載置板１４が箱状脚部１２の周縁部１３に当接するまで挿入する。
【００２１】
これにより、載置板１４上に様々な商品を載せてプレゼンテーション又はディスプレイを行うことができる。なお、箱状脚部１２は段ボール製であるが、段ボールは面に沿った方向の剛性は高いことから、載置板１４に所定の荷重の商品が所定数載置された場合で所定の荷重が箱状脚部１２に対して下方に向かって作用した場合であっても、充分荷重を支持することができる。
また、本実施の形態に係る組立式ディスプレイ装置１０にあっては、図３に示すように、載置板１４の幅方向後端部に表示部２１を取り付けることができるように構成されている。
【００２２】
即ち、表示部２１は、表示板２２と、表示板２２の両端部に固定された支持部２３、２３とからなり、載置板１４の幅方向後端部の長さ方向両側には穴部２０、２０が開設されていることから、この穴部２０、２０に支持部２３、２３の先端部を挿入固定することにより、載置板１４上に表示部２１を設置することができる。
【００２３】
従って、本実施の形態にあっては、表示部２１を載置板１４上に設置することができるため、表示板２２上に適宜、プレゼンテーション又はディスプレイを行う商品の広告媒体を貼付することができるため、より効果的なプレゼンテーション又はディスプレイを行うことができる。
【００２４】
図５〜図１０は、本考案の第二実施の形態を示す。前期実施の形態と同一の構成部材に関しては説明を省略する。
本実施の形態に係る組立式ディスプレイ装置３０は、上記載置板３１は、端縁部において上記箱状脚部３５の開口部３２の周縁部３３に回動可能に接合されていると共に、箱状挿入部３４は折り畳み可能に形成されている。
【００２５】
また、載置板３１には、上記箱状挿入部３４が箱状脚部３５内に挿入された場合には上記箱状脚部３５の背面部３６と連接される背面板部３７が折り畳み可能に固定されている。
本実施の形態にあっては、縦長直方体箱状に形成された箱状脚部３５の上端部に形成された開口部３２の背面部３６側の周縁部３３には載置板３１が回動可能に接合されている。また、載置板３１には、上記箱状挿入部３４が箱状脚部３５内に挿入された場合には上記箱状脚部３５の背面部３６と連接される背面板部３７が折り畳み可能な状態で、載置板３１に対して略直交するように固定されている。
【００２６】
その結果、組立時又は収納時には、載置板３１、及び載置板３１に固定された背面板部３７は、開口部３２の背面部３６側の周縁部３３を回動中心に回動させて組立又は収納することができる。
【００２７】
図５に示すように、本実施の形態に係る組立式ディスプレイ装置３０を組み立てた場合には、載置板３１上には大型の背面板部３７が配設されることから、背面板部３７に様々な広告表示を施すことができ、プレゼンテーションを行うことができると共に、ディスプレイ効果をより拡大することができる。
【００２８】
また、本実施の形態に係る組立式ディスプレイ装置３０を折畳む場合には、図６〜図７に示すように、背面板部３７を後方に倒す。この場合、背面板部３７は載置板３１に固定されていることから、載置板３１の裏面側に設けられた箱状挿入部３４は箱状脚部３５内から離脱する。なお、図中符合３８は補強板である。
【００２９】
その後、図８〜図１０に示すように、背面板部３７及び載置板３１及び箱状挿入部３４は箱状脚部３５上で反転し、箱状挿入部は、前面板部１７、底面板部１８及び背面部１９は折り畳まれ、載置板１４及び背面板部３７に重なる状態となり、箱状脚部３５も幅方向に折り畳むことにより、全体を扁平な板状にセットすることができ、この状態で搬送することが可能となる。
【００３０】
さらに、図１１及び図１２は、本考案に係る組立式ディスプレイ装置の第三の実施の形態を示す。本実施の形態に係る組立式ディスプレイ装置４０にあっては、箱状挿入部４１の背面部４２に開口部４３が開設されていると共に、箱状脚部４４の背面部４５の挿入時に対応する位置に、上下方向に開閉可能なフラップ部４６を有する孔部４７が開設されている。
【００３１】
従って、本実施の形態に係る組立式ディスプレイ装置４０にあっては、箱状挿入部４１が箱状脚部４４に挿入された場合で、背面部のフラップ部４６を開放した場合には、適宜の物品を、箱状脚部４４及び箱状挿入部４１により形成される空隙４８内に収納することができるように構成されている。その結果、箱状脚部４４内を収納部として利用することができる組立式ディスプレイ装置４０を提供することができる。
【産業上の利用可能性】
【００３２】
本考案に係るディスプレイ装置は、広く店頭に置き様々な商品をプレゼン又はディスプレイできるディスプレイ装置に適用することができるため、産業上の利用可能性を有している。
【符号の説明】
【００３３】
１０    組立式ディスプレイ装置
１１    開口部
１２    箱状脚部
１３    周縁部
１４    載置板
１５    箱状挿入部
１６    長さ方向両端部
１７    第二の前面板
１８    底面部
１９    第二の背面板
２０    穴部
２１    表示部
２２    表示板
２３    支持部
３０    組立式ディスプレイ装置
３１    載置板
３２    開孔部
３３    周縁部
３４    箱状挿入部
３５    箱状脚部
３６    背面部
３７    背面板部
４０    組立式ディスプレイ装置
４１    箱状挿入部
４２    背面部
４３    開口部
４４    箱状脚部
４５    背面部
４６    フラップ部
４７    孔部
４８    空隙
５０    第一の前面板
５１    側面板
５２    側面板
５３    第一の背面板
【手続補正３】
【補正対象書類名】図面
【補正対象項目名】全図
【補正方法】変更
【補正の内容】
【図１】
0003189363.tif 000015
【図２】
0003189363.tif 000016
【図３】
0003189363.tif 000017
【図４】
0003189363.tif 000018
【図５】
0003189363.tif 000019
【図６】
0003189363.tif 000020
【図７】
0003189363.tif 000021
【図８】
0003189363.tif 000022
【図９】
0003189363.tif 000023
【図１０】
0003189363.tif 000024
【図１１】
0003189363.tif 000025
【図１２】
0003189363.tif 000026